(57)【要約】      （修正有）【課題】歩留まりを上げることができ、さらに光学特性を向上させ、薄くコンパクト、という電子製品のトレンドに合わせることができるタッチパネルのスタッグ層組合せ構造を提供する。【解決手段】上、下基板１０、４０の間には少なくとも１個の透明タッチセンサー３０を絶縁状に設置し、これによりタッチセンサー３０辺縁の信号導線部分はカラーフレーム２０下方にちょうど対応して設置され、上基板１０と下基板４０は平面式、或いは非平面式の透明薄板で、カラーフレーム２０は不透明、或いは不透明に近い透明薄膜で、下基板４０底面には、透明導電材料により製造する接地層を設置し、電磁波ノイズの干渉を阻害することができ、上基板１０とカラーフレーム２０の組合せの下方表面には、透明保護層を設置し、スタッグして粘着、接合する際の平坦と整った状態を高め、上基板１０の上表面には機能薄膜を設置し、機能薄膜は霧化膜、ハードコーティング膜、或いは光調節層の内の一つである。【選択図】図１
0003163430.tif 000002
【実用新案登録請求の範囲】
【請求項１】
上基板、カラーフレーム、少なくとも１個の透明タッチセンサー、下基板を備え、
前記上基板は、実質的に透明な薄板で、
前記カラーフレームは、前記上基板の主表面周縁部位に形成する、不透明或いは不透明に近い薄膜で、
前記少なくとも１個の透明タッチセンサーは、上方感知層と下方感知層を備え、
前記下基板は、実質的に透明な薄板で、
前記タッチセンサーの上方感知層は、前記カラーフレームの上基板底面に直接加工して製造し、前記タッチセンサーの下方感知層も、前記下基板の上表面に直接設置され、前記２個の感知層間は、絶縁性粘着層により相互を張り合わせて一体とし、これにより前記タッチセンサー辺縁の信号導線部分は、前記カラーフレーム下方にちょうど対応して設置されることを特徴とするタッチパネルのスタッグ層組合せ構造。
【請求項２】
前記上基板と前記下基板は、ガラス、ポリカーボネート(PC)、ポリエチレンテレフタレート(PE)、ポリメチルメタクリレート(PMMA)、或いはシクロオレフィンコポリマー(COC)などの材料から選択して製造する透明薄板であることを特徴とする請求項１に記載のタッチパネルのスタッグ層組合せ構造。
【請求項３】
前記上基板と前記下基板は、平面式、或いは非平面式の透明薄板であることを特徴とする請求項１に記載のタッチパネルのスタッグ層組合せ構造。
【請求項４】
前記カラーフレームは、インク、カラーフォトレジスト、有機材料、或いは無機材料などの一材料であることを特徴とする請求項１に記載のタッチパネルのスタッグ層組合せ構造。
【請求項５】
前記タッチセンサーは、キャパシタ式タッチパネル、電気抵抗式タッチパネル、或いは電磁式タッチパネルの１種、或いは２種以上の複合であることを特徴とする請求項１に記載のタッチパネルのスタッグ層組合せ構造。
【請求項６】
前記タッチパネルのスタッグ層組合せ構造はさらに、前記下基板の外側主表面に設置する透明な接地層を備え、
前記接地層の材料は、酸化インジウムスズ(ITO)、酸化インジウム亜鉛、或いは酸化亜鉛アルミニウムなどの一材料を選択することを特徴とする請求項１に記載のタッチパネルのスタッグ層組合せ構造。
【請求項７】
前記タッチパネルのスタッグ層組合せ構造はさらに、前記上基板と前記カラーフレームの組合せの下方表面に、透明保護層を設置し、
前記透明保護層の材料は、窒化シリコン、二酸化シリコン、フォトレジストなどの一材料を選択することを特徴とする請求項１に記載のタッチパネルのスタッグ層組合せ構造。
【請求項８】
前記タッチパネルのスタッグ層組合せ構造はさらに、前記上基板の上表面に、機能薄膜を設置することを特徴とする請求項１に記載のタッチパネルのスタッグ層組合せ構造。
【請求項９】
前記機能薄膜は、霧化膜、或いはハードコーティング膜のどちらかであることを特徴とする請求項８に記載のタッチパネルのスタッグ層組合せ構造。
【請求項１０】
前記機能薄膜は、光調節層で、
前記光調節層は、偏光フィルム、位相差フィルム、或いは光学等方性フィルムなどの光学薄膜の１種或いは２種以上の薄膜を重ねて組合せ構成することを特徴とする請求項８に記載のタッチパネルのスタッグ層組合せ構造。
【考案の詳細な説明】
【技術分野】
【０００１】
本考案はタッチパネルのスタッグ層組合せ構造に関し、特に透明特性を備え、しかも電子製品のスクリーン前面に配置して使用可能で、これにより使用者はインタラクティブインプット操作を行うことができるタッチパネルのスタッグ層組合せ構造に関する。
【背景技術】
【０００２】
タッチパネルは携帯電話端末、デジカメ、デジタル音楽プレーヤー(MP3)、PDA、GPSなど一般の民生用電子製品に幅広く応用されている。
タッチパネルは、これら電子製品のスクリーン上に配置して使用され、これにより使用者はインタラクティブインプット操作を行うことができ、マンマシーンインターフェースの親和性を大幅に改善し、入力操作の効率を向上させることができる。
【０００３】
図７、８に示すように、従来のタッチパネルの設置の際には、透明の平面状タッチセンサー板５００上に、表面装飾板６００を接着して設置し、さらにそれをスクリーン上に密着させて覆う。
通常、タッチセンサー板５００は、タッチセンサー５０１を備え、上基板５０２と下基板５０３との間に絶縁状に挟んで設置される。
表面装飾板６００は透明の薄板で、その表面の周縁には、カラーの装飾フレーム６０１を形成する。
これにより、タッチセンサー５０１辺縁の信号導線部分５０１aを遮蔽し、美観の目的を達成する。
しかし、従来の表面装飾板６００及びタッチセンサー板５００などのパーツはすべて、それぞれ製造を完成した後に、透明接着層７００(光学接着剤)により、接着させて一体に成型している。
この種の構造は、組立ての手順が複雑であるばかりか、光学接着剤が高価で、さらに接着時に不良品ができ易いため材料を浪費し、生産コストの拡大を招いている。
また、タッチセンサー板５００上に表面装飾板６００を透明接着層７００により粘着させて接合すると、組合せ後の板体は厚みが激増し、薄くコンパクト、という電子製品のトレンドに合わせることができず、しかも、タッチパネルの光学特性を減損してしまう。
本考案は、従来のタッチパネルのスタッグ層組合せ構造の上記した欠点に鑑みてなされたものである。
【考案の概要】
【考案が解決しようとする課題】
【０００４】
本考案が解決しようとする課題は、タッチパネルの基板上にカラーフレームとタッチセンサーを直接設置することで、数回に及ぶ全面的な粘着のプロセスを減らすことができ、歩留まりを上げることができ、さらに光学特性を向上させ、薄くコンパクト、という電子製品のトレンドに合わせることができるタッチパネルのスタッグ層組合せ構造を提供することである。
【課題を解決するための手段】
【０００５】
上記課題を解決するため、本考案は下記のタッチパネルのスタッグ層組合せ構造を提供する。
タッチパネルのスタッグ層組合せ構造は、上基板と下基板を備え、
該上基板の主表面周縁部位には、カラーフレームを形成し、該各上、下基板の間には、少なくとも１個の透明のタッチセンサーを設置し、これにより該タッチセンサー辺縁の信号導線部分は、該カラーフレーム下方にちょうど対応して設置され、
該各上、下基板は、実質的に透明な材質で、しかも平面式、或いは非平面式の薄板で、その材料は、ガラス薄板、ポリカーボネート(PC)、ポリエチレンテレフタレート(PE)、ポリメチルメタクリレート(PMMA)、或いはシクロオレフィンコポリマー(COC)などの各種フレキシブル薄板から選択するが、実施に当たっては、上記した材料に限定するものではなく、各種の軟性或いは硬性、透明或いは半透明の基板を採用することができ、
該各上、下基板は、相同、或いは異なる薄板材料を使用することができ、
該カラーフレームの成分は、インク、カラーフォトレジスト、有機材料、或いは無機材料であるが、実施に当たっては、上記した材料に限定するものではなく、上記した材料を、印刷、塗布、金属蒸着などの技術手段により、該基板の表面周縁部位に設置するが、実施の範囲は、上記した技術手段に限定するものではなく、好ましくは、該カラーフレームは、５μm以下の不透明、或いは不透明に近い薄膜で、
該タッチセンサーは、キャパシタ式タッチセンサー、電気抵抗式タッチセンサー、或いは電磁式タッチセンサーの１種或いは２種以上の複合で、
該タッチセンサーの上方感知層は、該カラーフレームの上基板底面に直接加工して製造し、該タッチセンサーの下方感知層も、該下基板の上表面に直接設置され、該２個の感知層間は、絶縁性粘着層により相互を張り合わせて一体とし、
該下基板の外側主表面には、透明な接地層(Shielding layer)を設置し、該接地層の材料は、酸化インジウムスズ(ITO)、酸化インジウム亜鉛、或いは酸化亜鉛アルミニウムなど材質であるが、実施の材料は、上記に限定するものではなく、
該上基板と該カラーフレームの組合せの下方表面に、透明保護層を設置し、該透明保護層の材料は、窒化シリコン、二酸化シリコン、フォトレジストなどの物質であるが、実施の材料は、上記に限定するものではなく、
該上基板の上表面に、機能薄膜を設置し、機能薄膜は、霧化フィルム、或いはハードコーティング膜で、該機能薄膜は、光調節層とすることができ、該光調節層は、偏光フィルム、位相差フィルム、或いは光学等方性(optical isotropic)フィルムなどの光学薄膜の１種或いは２種以上の薄膜を重ねて組合せ構成する。
【考案の効果】
【０００６】
本考案のタッチパネルのスタッグ層組合せ構造は、タッチパネルの基板上にカラーフレームとタッチセンサーを直接設置することで、数回に及ぶ全面的な粘着のプロセスを減らすことができ、歩留まりを上げることができ、さらに光学特性を向上させ、薄くコンパクト、という電子製品のトレンドに合わせることができる。
【図面の簡単な説明】
【０００７】
【図１】本考案第一実施例のパーツ組合せ構造の断面図である。
【図２】本考案第一実施例のタッチパネルをスクリーン前方に配置して使用する形態の断面図である。
【図３】本考案第二実施例のパーツ組合せ構造の断面図である。
【図４】本考案第三実施例のパーツ組合せ構造の断面図である。
【図５】本考案第三実施例の別種の組合せ形態の断面図である。
【図６】本考案第四実施例のパーツ組合せ構造の断面図である。
【図７】本考案第四実施例の別種の組合せ形態の断面図である。
【図８】本考案第四実施例のさらに別種の組合せ形態の断面図である。
【図９】本考案第四実施例のまたさらに別種の組合せ形態の断面図である。
【図１０】本考案第五実施例のパーツ組合せ構造の断面図である。
【図１１】本考案第五実施例の別種の組合せ形態の断面図である。
【図１２】本考案第五実施例のさらに別種の組合せ形態の断面図である。
【図１３】本考案第五実施例のまたさらに別種の組合せ形態の断面図である。
【図１４】従来のタッチパネルを組成する構成部材の表示図である。
【図１５】従来のタッチパネルのパーツ組合せ構造の断面図である。
【考案を実施するための形態】
【０００８】
以下に図面を参照しながら本考案を実施するための最良の形態について詳細に説明する。
【０００９】
図１は、本考案の第一実施例を示す。
以下の実施例では、キャパシタ式タッチパネルを例として説明するが、本考案の実施範囲は、キャパシタ式タッチパネルに限定するものではなく、電気抵抗式タッチパネル、或いは電磁式タッチパネルを適用することもできる。
【００１０】
本第一実施例中では、タッチパネル構造は、上から下へと順番に、上透明基板１０、カラーフレーム２０、タッチセンサー３０、下透明基板４０を備える。
上、下透明基板１０、４０は、実質的に透明な材質を採用する。
その材料は、ガラス薄板、ポリカーボネート(PC)、ポリエチレンテレフタレート(PE)、ポリメチルメタクリレート(PMMA)、或いはシクロオレフィンコポリマー(COC)などの各種フレキシブル薄板から選択するが、実施に当たっては、上記した材料に限定するものではなく、各種の軟性或いは硬性、透明或いは半透明の基板を採用することができる。
上、下基板１０、４０は、相同、或いは異なる薄板材料を使用することができる。
【００１１】
カラーフレーム２０の成分は、インク、カラーフォトレジスト、有機材料、或いは無機材料であるが、実施に当たっては、上記した材料に限定するものではなく、上記した材料を、印刷、塗布、金属蒸着などの技術手段により、上透明基板１０の底表面の周縁部位に設置する。
但し、実施の範囲は、上記した技術手段に限定するものではない。
カラーフレーム２０は、厚さ約１μmの不透明薄膜である。
【００１２】
タッチセンサー３０は、ここでは、キャパシタ式タッチパネルを実施例として選択し、それはX軸感知層３０a、Y軸感知層３０b、絶縁層３０cを備える。
絶縁層３０cは、X軸感知層３０aとY軸感知層３０bの間に設置する。
これにより、２個の感知層３０a、３０bは絶縁状に設置され、X軸感知層３０aとY軸感知層３０bは、それぞれ接地され、コントロール回路(図示なし)に連接する。
X軸感知層３０aとY軸感知層３０bは、酸化スズインジウム(ITO)薄膜を使用する。
絶縁層３０cは、絶縁性の接着剤薄層である。
X軸感知層３０a及びY軸感知層３０bと絶縁層３０cはすべて、実質的に透明な薄層である。
【００１３】
タッチセンサー３０の上方のX軸感知層３０aは、カラーフレーム２０を設置する上透明基板１０の主表面に直接加工して製造する。
タッチセンサー３０の下方のY軸感知層３０bは、下透明基板４０の上方主表面に直接設置する。
さらに、X軸感知層３０aとY軸感知層３０bを隔てて絶縁層３０cを設置し、重ねて接合する。
【００１４】
タッチセンサー３０は、上透明基板１０とカラーフレーム２０の表面下方に配置するため、その辺縁の信号導線部分は、カラーフレーム２０の下方にちょうど対応して設置される。
よって、カラーフレーム２０により、タッチセンサー３０辺縁の信号導線部分を遮蔽し、こうしてパネル外観の美化を達成する。
【００１５】
上記した構成部材により組成するタッチパネルは、粘着接合層９１を利用し、スクリーン９２前方に粘着接合して設置する(図２参照)。
こうして使用者は、スクリーン９２画面上の指示を通して、パネル上の特定位置に軽く触れ、或いは押すことで、信号を入力することができる。
インプット操作時には、使用者の指、或いは導体が、タッチパネル表面に接触した瞬間、キャパシタ式タッチセンサー３０は、感知キャパシタ信号を発生し、感知信号値の変化を測定することで、指或いは導体の位置を確定することができ、これにより信号入力の目的を達成する。
【００１６】
本考案の上記した実施例と従来のタッチパネルの構造を、以下に比較する。
本考案のカラーフレーム２０、上方のX軸感知層３０aは、上透明基板１０上に直接形成し、下方のY軸感知層３０bもまた、下透明基板４０上に直接製造し、両者を絶縁状に接合する。
よって、従来のタッチパネル基板と表面装飾板、及び各感知層との間の前面粘着接合プロセスを省略することができるため、加工コストを低下させ、製品の歩留まりを向上させられるばかりか、製品の光学特性を向上させ、製品の薄型化に有利である。
【００１７】
第一実施例の基本構造は、使用条件の違いに応じて調整することができる。
例えば、図３に示す第二実施例中では、第一実施例の構造に基づき、下透明基板４０の下表面に、接地層５０を設置する。
接地層５０は、酸化インジウムスズ(ITO)、或いは酸化インジウム亜鉛などの透明の導電材料を採用して製造する。
接地層５０により接地電位を保持し、タッチセンサー３０に対する電磁波ノイズの干渉を阻害することができる。
【００１８】
図４に示す第三実施例では、第一実施例の構造に基づき、上透明基板１０及びカラーフレーム２０の主表面とタッチセンサー３０の上方X軸感知層３０aとの間に、透明保護層６０を設置する。
これにより、スタッグして粘着、接合する際の平坦と整った状態を高め、カラーフレーム２０の辺縁に気泡が残留する問題の発生を回避することができる。
保護層６０の材料は、窒化シリコン、二酸化シリコン、フォトレジストなどの物質から選択するが、実施に際しての材料は、これに限定するものではない。
【００１９】
図５に示す第三実施例の別種の組合せ形態では、透明保護層６０を設置する他に、その下透明基板４０の下表面に、接地層５０を設置する。
【００２０】
図６に示す第四実施例では、第一実施例の構造に基づき、透明基板１０の上表面に、機能薄膜７０を設置する。
機能薄膜７０は、一層の霧化膜、或いはハードコーティング膜で、これによりタッチパネル表面の光反射率を低下させ、或いはパネル表面の硬度と耐摩耗性を向上させることができる。
また、機能薄膜７０は、光線調節機能を備える偏光フィルム、位相差フィルム、或いは光学等方性フィルムなどの光学薄膜の１種或いは２種以上の薄膜を重ねて組合せ構成する光調節薄膜で、これにより、スクリーンの先進性を増強することができる。
【００２１】
図７、８、９に示す第四実施例の他の組合せ形態では、機能薄膜７０を設置する他に、透明保護層６０、接地層５０の内の一つをそれぞれ増設し、及び透明保護層６０と接地層５０を共に同時に設置する。
【００２２】
本考案は上記した形式に限定するものではなく、上記した説明を参考に、より多くの等価応用、改良、変化が可能である。
例えば、透明基板１０は平面式の板体形態を使用可能である他、第一実施例の構造に基づき、タッチパネルの使用場面のニーズに応じて、弧状表面を備える板体、或いは他の非平面式板体(図１０〜１３参照)を採用することができる。
これら変化はすべて、前記実施例と同一、或いは類似の効果を達成することができるため、本考案の上記した技術と実質的に相同である。
すなわち、本考案の精神に基づく等価応用或いは部品（構造）の転換、置換、数量の増減はすべて、本考案の保護範囲に含むものとする。
【産業上の利用可能性】
【００２３】
本考案は実用新案の要件である新規性を備え、従来の同類製品に比べ十分な進歩を有し、実用性が高く、社会のニーズに合致しており、産業上の利用価値は非常に大きい。
【符号の説明】
【００２４】
１０  上透明基板
２０  カラーフレーム
３０  タッチセンサー
３０a  X軸感知層
３０b  Y軸感知層
３０c  絶縁層
４０  下透明基板
５０  接地層
６０  透明保護層
７０  機能薄膜
９１  粘着接合層
９２  スクリーン
５００  タッチセンサー板
５０１  タッチセンサー
５０１a  信号導線部分
５０２  上基板
５０３  下基板
６００  表面装飾板
６０１  装飾フレーム
７００  透明接着層
【図１】
0003163430.tif 000003
【図２】
0003163430.tif 000004
【図３】
0003163430.tif 000005
【図４】
0003163430.tif 000006
【図５】
0003163430.tif 000007
【図６】
0003163430.tif 000008
【図７】
0003163430.tif 000009
【図８】
0003163430.tif 000010
【図９】
0003163430.tif 000011
【図１０】
0003163430.tif 000012
【図１１】
0003163430.tif 000013
【図１２】
0003163430.tif 000014
【図１３】
0003163430.tif 000015
【図１４】
0003163430.tif 000016
【図１５】
0003163430.tif 000017